Podtech/llm-jp-corpus-v4-ja_patent huggingface dataset:
(57)【要約】      （修正有）【課題】５Ｋｗ−１５Ｋｗの汎用電動機の始動電流を低減した装置を提供する。【解決手段】汎用電動機の始動電流は通常時の６倍超の電流が流れる。そのため始動時には固定巻き線をＹ結線として運転し、高速度になるとデジタル疑似正弦波Ｙ結線Δ結線兼用インバ−ダ開閉機でΔ結線に切換する。始動時は各巻線に定格電圧の１／√３の電圧が加わるから始動電流はΔ結線で始動する時に比べ始動電流も１／３となり電動機の始動電流を低減出来る。【選択図】図２
2018183023.tif 000002
【特許請求の範囲】
【請求項１】
１８０度型パルス幅変調（１）と１２０度型パルス幅変調（２）ベクトル図（３）２相ー３相変換トリガリング電子式擬似エンコーダで両結線制御ＩＣシステムは分離していないＹΔＰＷＭベクトル
【請求項２】
１８０度Ｙ結線（１）と１２０度Δ結線と各々巻き線の異なった汎用電動機の始動制御デジタル式スターデルタ起動方
【発明の詳細な説明】
【技術分野】
【０００１】汎用モ−タの５Ｋｗ−１５Ｋｗの始動電力を制御するシステムで現に有する電磁開閉機にて制御しているが電子回路によって１８０度ワイ１２０度デルタ結線を同時に制御していると共にＩ．Ｖベクトル
【背景技術】
【０００２】電磁開閉機での始動制御でわＳＷｉｎｇの高速化か必要で電子回路によって高速化しているＩ．Ｖベクトルでわ二相ー三相変換で在り本システムでわ電子疑似エンコーダで三相トリガカウンタを発生している
【先行技術文献】
【０００３】
【特許文献１】特開平１０−３１５２９８
【発明の概要】
【発明が解決しようとする課題】
【０００４】従来の機械開閉機のＳＷｉｎｇよりもパルス幅変調のシステムでの１８０度Ｙ（ワイ）と１２０度Δ（デルタ）結線の通電角を機械開閉機より早くタイムベースを作りタイムロスを無くし始動時の過電流過電圧を制御すると共に１８０度型１２０度型パルス幅変調のＩ・Ｖベクトルと共有しているシステム
【課題が解決するための手段】
【０００５】（１）１８０Ｙ結線用ＰＷＭシステムとし正弦波内蔵
（２）１２０Δ結線用ＰＷＭシステムとし正弦波内蔵
を両共している同一システムはＩＣ同士の回路
分離していない  （３）ベクトル図（４）ベクトル図の二相−三相変換用電子式疑似エンコーダにてＡＣ三相矩形トリガカウンタにより構成しているＹΔ両結線始動Ｉ．Ｖベクトル
【発明の効果】
【０００６】スターデルタ起動方にて１８０度Ｙ結線と１２０度Δ結線各々の巻き線が異なった電動機の始動電流制御が出来る
上記のパルス幅変調において１８０度型１２０型の電通角で出力した正弦波はＰＷＭに変換．ＹΔ時の電力センサーＰＴＰＣに同調出来る１８０度と１２０度のパルス幅変調（５）バランス分布図の同一のシステムの延線上にＩＣのシステム分離しなくてＹΔの結線の電通角の正弦波を構成出来る
【図面の簡単な説明】
【０００７】
【図１】１８０度Ｙ結線と１２０度Δ結線パルス幅変調図
【図２】ベクトル図と二相−三相変換図
【発明を実施するための形態】
【０００８】（イ）１８０度Ｙ結線のパルス幅変調システム図（１）
（ロ）１２０度Δ結線のパルス幅変調システム図（２）
ＩＣ同志のシステムは分離しなくて制御できる
（ハ）ベクトル図（３）ＰＴ．ＰＣの出力がＹ．Δ結線ＰＷＭのフィートバック信号と一致しているので一システムで両結線Ｙ．Δを制御できる
（ニ）ベクトル図中のＩ，Ｖ変換及び二相・三相変換用電子疑似エンコーダＡＣ三相パルストリガリングカウンターはコンパレータにより正弦波され比較器と加減算マトリクスにて波形成形される
【符号の説明】
【０００９】  １  １８０度型パルス幅変調システム
２  １２０度型パルス幅変調システム
３  ベクトル図
４  二相−三相変換用電子式疑似トリガリングエンコーダ
５  １８０度と１２０度兼用のバランス分布図
６  加算減算用マトリクス回路
７  ＤＢＭ位相ロック
８  比較器
９  正弦波パルス変換
１０  ＰＴ・ＰＣ・Ｉ・Ｖセンサ−
１１  コンパレ−タ
１２  １８０度Ｙ結線１２０度Δ結線変換回路
【図１】
2018183023.tif 000003
【図２】
2018183023.tif 000004
(57)【要約】      （修正有）【課題】陶器や磁器への宝石を使用する装飾方法を提供することを課題とし、宝石で装飾された物は贅沢品または逸品としての役目を果たし、その装飾において自由性とオリジナル性を高め、デザイン性を向上させる。より機能性と安全性が高められ陶器や磁器に負荷なく装飾することができる方法を提供する。【解決手段】焼成をして硬質化する接着剤３を用いて陶器や陶磁器１に宝石４を設置し陶磁器１と共に焼成をして接着固定をさせる。【選択図】図１
2018052796.tif 000002
【特許請求の範囲】
【請求項１】
陶器や磁器の宝石を装飾したい面に、あらかじめ接着剤を必要量使用して宝石を設置した後に焼成を行い、宝石を接着させる装飾方法。
【請求項２】
接着剤を必要量使用し宝石に付着させ陶器や磁器の装飾したい面に設置した後に焼成を行い、宝石を接着させる装飾方法。
【請求項３】
宝石を装飾したい陶器や磁器の面に宝石を設置した後、必要量の接着剤をかけた後に焼成を行い、宝石を接着させる装飾方法。
【請求項４】
宝石が天然及び人工的に造られた石であるもので焼成により変色や割れが生じないものの請求項１，２，３に記載の装飾方法。
【請求項５】
接着剤が焼成後に硬質化し、陶器や磁器の面に接着をする溶剤である請求項１，２，３に記載の装飾方法。
【発明の詳細な説明】
【技術分野】
【０００１】  この発明は、陶器や磁器への宝石を使用した装飾方法に関する。
【背景技術】
【０００２】  従来の陶器や磁器等への装飾に用いる材料部品が宝石でない物や、接着に用いている溶剤も宝石と共に焼成し接着に至るものではなかった。
［図２］参照。
【発明の概要】
【発明が解決しようとする課題】
【０００３】  しかしながら、以上の技術によれば、ＥＶＡやＥＭＭＡやオレフィンやポリアミド等を主成分としたものやエポキシ樹脂等の樹脂系の接着剤を用いて自然乾燥により接着をする場合が多く、食器など様々な陶器や磁器に対応し装飾することは安全性や機能性からしても避けたいものとなる。予め装飾部品に接着剤を付着させ熱でのプレス等により接着する方法もあるが、その方法だと装飾をしたい陶器や磁器への負荷および破損等の恐れもある。
そこで、この発明は、陶器や磁器への宝石を使用する装飾方法を提供することを課題とし、宝石で装飾された物は贅沢品または逸品としての役目を果たし、その装飾において自由性とオリジナル性を高め、デザイン性を向上させる。より機能性と安全性が高められ陶器や磁器に負荷なく装飾することができる方法を課題とする。
【課題を解決するための手段】
【０００４】  以上の課題を解決するために、第一発明は、陶器や磁器に接着剤を用いて宝石を接着し、ガラスまたは陶器や磁器と共に焼成をして宝石を接着する装飾方法である。また、第二発明は、接着剤に使用する溶剤が焼成をして硬質化し接着ができることを特徴とする装飾方法である。第三発明は宝石と陶器や磁器を一緒に焼成をして接着ができる装飾方法であるから陶器や磁器への負担がなく装飾することができる。
【発明の効果】
【０００５】  第一発明、または第二発明によれば、焼成をして宝石を接着するので宝石で装飾された物は贅沢品または逸品としての役目を果たし、その装飾において、自由性とオリジナル性を高め、デザイン性が向上すると共に、焼成をして接着をすることにより機能性と安全性が高められ第３発明により陶器や磁器に負荷がなく装飾することができる。
【図面の簡単な説明】
【０００６】
【図１】発明の一実施形態を示す側面図である。
【図２】従来の実施形態を示す側面図である。
【発明を実施するための形態】
【０００７】  この発明の一実施形態を、図１に示す。
陶器や磁器の表面に接着剤を用いて焼成をすることで接着面に接着剤がより馴染み接着をする。
【実施形態の効果】
【０００８】  この実施形態によれば、焼成し接着をしているので接着剤が陶器や磁器表面の釉薬と馴染み装飾した宝石も安易に取れたりはしない。したがって、陶器や磁器に宝石を装飾した際の機能性と安全性が高められる。
【他の実施形態】
図１の実施形態では、接着剤は陶器や磁器の表面に付着したが他の実施形態では、接着剤を宝石の上にかけて装飾してから焼成してもよく、接着剤を宝石に直接つけてから装飾をしてから焼成をしてもよい。
【符号の説明】
【０００９】１  実施形態の陶器や磁器本体
２  実施形態の陶器や磁器の表面
３  実施形態の接着剤
４  実施形態の宝石
５  従来形態の陶器や磁器本体
６  従来形態の陶器や磁器の表面
７  従来形態の接着剤
８  従来形態の装飾物
【図１】
2018052796.tif 000003
【図２】
2018052796.tif 000004
(57)【要約】【課題】  領収書等が箱の中に無造作に放り込むと日付け順に整理するのが大変なので、簡単に整理できる箱を提供する物である。【解決手段】  上下に蓋を設けた箱に領収書等を日付け順に入れて、１２か月終了後には上下をひっくり返して底側に付けた蓋を開けると整理済みの領収書等があると言うしくみである。この箱の上蓋の裏には月表示版入れを備えて月表示版を入れる。箱の開口時には蓋は６０度に開いて固定して、蓋の裏の月表示版が正面に見えるようにする。月表示版は月が替わると、区切り板として箱の中に裏返して次の月が出るように置き、正面に見えている月と同じであるようにする。この様にして１月〜１２月までの領収書等が既に整理済みになる整理箱を提供する。【選択図】図１
2018052097.tif 000002
【特許請求の範囲】
【請求項１】
箱の上下に蓋を設け、領収書等を入れて行き、１２か月終ったら箱をひっくり返して底の方の蓋を開けた時には既に１月から１２月迄、月日順に整理された領収書等があるのですぐに帳簿などへの記入が出来る整理箱である
【発明の詳細な説明】
【技術分野】
【０００１】  本発明品は、領収書や資料の書類を毎年、月、日順に簡単に整理収納する箱である。
【背景技術】
【０００２】  従来、本品のように日にちの前後を違えず簡単に箱の中に整理出来る物はなかった。
【先行技術文献】
【特許文献】
【０００３】
【発明の概要】
【発明が解決しようとする課題】
【０００４】  従来より、次のような問題点があった。
（イ）領収書等を整理する時に貼ったり、挟んだりする一手間が大変であった。
（ロ）従来の針のある台に領収書を刺して行く方法もあるが針がむき出しでは危ないし、      領収書などが千切れて紛失してしまう心配があった。
（ハ）結局、箱に無造作に放り込んでしまい、月日を順に整理するのが困難になっていた      。
（ニ）複数枚の関連領収書等をそのまま入れてバラバラになってしまう事も多々あった。
本発明は以上の問題点を解決しようとするものである。
【課題を解決するための手段】
【０００５】  領収書等を箱に入れてから、日にち順に重ねて行き、重りの役目をするホチキスを付けた板をのせて置く。そしてその箱は上下に蓋を設けたもので、１２か月終了後は上下を逆にひっくり返すと、一月から収納した順に既に整理された状態になっている。
そして裏側だった箱の蓋を開けると、一月からの整理済みの領収書等があるので、すぐに仕事が出来る。又、月別を明確に表示する月表示版を、一か月終わるごとに月の区切り板としても使い、それをひっくり返して箱の中に置き次の月を表示する。つまり月表示版の裏は次の月が書いてある。それを繰り返して１２か月終わったら箱ごと、ひっくり返して上下逆にして底である裏側の蓋を開けると領収書等は既に１月から、月日順になっている。
取り出して全部処理し終わったら又最初のように月表示版を表示版入れにセッティングして使用する。
又、複数枚の関連領収書などがバラバラにならないように重りとして押さえ板に付けたホチキスで、その場でまとめて留めて箱に収納する。
この様にして何年も繰り返して使える万年領収書等を入れる箱を提供するものである。
【発明の効果】
【０００６】  （イ）少し重い板で順に抑えて乗せて置く事で領収書等がバラバラにならない。
（ロ）その箱は上下に蓋を設けた箱であり１２か月終了するとひっくり返して上下を逆        にして蓋を開けると１月〜１２月までの月日順に整理された領収書等がある。
（ハ）そのままの順で帳簿に書き込むことが容易である。
（ニ）月表示版は一か月終るごと表示版入れから取り出し裏返して箱に入れると裏には        次の月が表示される。正面の斜め６０度に設置した蓋の裏の表示版の月と同じ月        が表示される事になるので何月かがより明確である。
（ホ）押さえ板に重りを兼ねて貼り付けたホチキスは複数枚の関連領収書等をまとめて        置きたい時に使用するが処理済みの領収書等の処分の事を考えて、留める為の金        属を使用しないものである。
【図面の簡単な説明】
【０００７】
【図１】本発明の斜視図である。
【図２】本発明の分解図である。
【図３】本発明の分解図である。
【図４】本発明の使用状態を示した物である。
【発明を実施するための形態】
【０００８】以下、本発明の実施の形態を説明する。
（イ）上下に蓋を設けた箱であるが上（１）下（２）の蓋はそれぞれ、開けた時６０度に      なるように固定する。
（ロ）上蓋（１）に月表示版入れ（３）を設置し、月表示版（４）を収納する。箱の中に      入れると正面に見える上蓋に貼った月表示と同じになる。
（ハ）（５）は（４）の裏面で箱の中に入れると正面に見える上蓋の月表示と同じになる      。
（ニ）重りを兼ねたホチキス付き板（６）を乗せて押さえて置く事で領収書は日付けを前      後する事無く順にきちんと収まる。
【符号の説明】
【０００９】    １  上蓋。
２  下蓋。
３  月表示版入れ。
４  月表示版。
５  月表示板裏面。
６  重りを兼ねたホチキス付き押さえ板。
７  金属の留め具を使わないホチキス。
【図１】
2018052097.tif 000003
【図２】
2018052097.tif 000004
【図３】
2018052097.tif 000005
【図４】
2018052097.tif 000006
(57)【要約】【課題】  バナナを店頭で綺麗に並べることが可能であって、袋の表面に設けた表示部を買い物客に向けて簡単かつ確実に正面側に位置させることのできる陳列用袋を提供する。【解決手段】  内部に略三角錐形状の空間Ｓを有する袋１。袋１は、互いに「ねじれの位置」にある第１封止辺１０および第２封止辺２０と、第１封止辺および第２封止辺との間に延在する周壁３０と、を備える。この袋１によれば、三角錐という形状自体の特性からある程度の強度が発揮されるので、バナナ等の商品を収容した状態で、一壁面を底面として安定して置くことができる。そして、他の一壁面に表示部４０（商品名、産地、その他を表示するものであって、シールや印刷等で実現される）を設けることで、当該表示部４０を買い物客に向かって正面に向けた状態で、安定的に陳列できる。【選択図】図１
2018052510.tif 000002
【特許請求の範囲】
【請求項１】
内部に略三角錐形状の空間（Ｓ）を有する袋であって、
互いに「ねじれの位置」にある第１封止辺（１０）および第２封止辺（２０）と、
第１封止辺および第２封止辺との間に延在する周壁（３０）と、を備える袋。
【発明の詳細な説明】
【技術分野】
【０００１】
本発明は、店頭等においてバナナを包装して陳列するのに適した袋に関する。
【背景技術】
【０００２】
バナナをスパーマーケット、コンビニ、八百屋等の店頭で販売する場合、一般的に、バナナは透明のビニール袋に入れて陳列されることが多い。その場合に、次のような問題が生じている。
【０００３】
店によってバナナの陳列態様は異なるが、ビニール袋に入れて陳列すると、バナナ自体の形状が不規則であるが故に、綺麗に並べて陳列することが難しい。実際には、バナナを収容したビニール袋が、カゴに山盛りに積まれていたりする。
【０００４】
また、ビニール袋表面には、商品名、産地、その他の表示が、シールを貼り付けたり、印刷されたりしているが、上記の陳列形態では、各ビニール袋の表示部を買い物客に向かって正面に向けた状態とすることが困難であったり、印刷の場合にはビニール自体にシワが生じて、買い物客が表示内容を確認し難くなる。
【先行技術文献】
【特許文献】
【０００５】
以上の問題は、日常的に経験されるごく一般的な事象であって、これについて論じられた文献等を、本件出願人は知らない。
【発明の概要】
【発明が解決しようとする課題】
【０００６】
本発明は、上記従来の問題を解決すべく創案されたものであって、その目的は、形状が不規則であることが多いバナナを、店頭で規則正しく綺麗に並べることが可能であって、袋の表面に設けた表示部を、買い物客に向けて簡単かつ確実に正面側に位置させることのできる陳列用袋を提供することである。
【課題を解決するための手段】
【０００７】
本発明により、次の特徴を備えた袋が提供される。すなわち、本発明の袋は、内部に略三角錐形状の空間を有する袋であって、互いに「ねじれの位置」にある第１封止辺および第２封止辺と、これら両封止辺の間に延在する周壁と、を備えてなる。
なお、「ねじれの位置」とは、数学用語で、２つの直線が互いに交わることなく、かつ平行でもない位置関係にあることを意味する。
【発明の効果】
【０００８】
上記構成を有する本発明の袋は、全体が略三角錐の形状を有するので、三角錐という形状自体の特性からある程度の強度が発揮され、形状が安定する。したがって、バナナ等の商品を収容した状態で、一壁面を底面として安定して置くことができる。そして、他の一壁面に表示部（商品名、産地、その他を表示するものであって、シールや印刷等で実現される）を設けることで、当該表示部を買い物客に向かって正面に向けた状態で、安定的に陳列できる。さらには、袋の形状が安定するので、上記表示部を印刷で構成した場合に、当該印刷が袋表面にシワが生じて見難くなる問題も生じない。
【図面の簡単な説明】
【０００９】
【図１】本発明の一実施形態に係る袋を説明する概略図である。
【発明を実施するための形態】
【００１０】
本発明の実施形態を、添付の図面を参照して以下に説明する。図１は、本発明の一実施形態に係る袋１を示す概略斜視図である。図１（ａ）は、袋の構成を示すためにカラの状態を図示しており、図１（ｂ）は、バナナを収容した状態で示している。
【００１１】
図１（ａ）に示したように、袋１は、内部に略三角錐形状の空間Ｓを有しており、したがって、袋全体も略三角錐形状である。
【００１２】
袋１は、両端に２つの封止片（第１封止辺１０、第２封止辺２０）を備えており、これら両封止辺は、互いに「ねじれの位置」にある。「ねじれの位置」とは、数学用語で、２つの直線が互いに交わることなく、かつ平行でもない位置関係にあることを意味する。２つの封止辺１０、２０の間には、周壁３０が延在していて、袋内部に略三角錐形状の空間Ｓを形成している。
【００１３】
周壁３０は、三角形状の４つの壁部３０ａ、３０ｂ、３０ｃ、３０ｄを有しており、図示の例では、壁部３０ａを底面として、任意の陳列面に置かれる。底面となる壁部３０ａの反対側で対向する壁面３０ｃには、表示部４０が設けられる。
表示部４０は、内容物であるバナナ等の商品名、産地、その他を表示するものであり、具体的には、シールを貼り付けたり、壁面に直接印刷すること等で実現される。
【００１４】
袋１は、略三角錐の形状を有しているが故に、その形状に起因した強度があり、したがって、バナナ等を収容した状態で安定的に設置できる。つまり、複数の袋を整列して綺麗に陳列できる。
【００１５】
また、壁面３０ｃに設けた表示部４０も、その位置が安定して維持されるので、表示部４０を買い物客に向けて簡単かつ確実に正面側に位置させることができる。さらには、袋の形状が安定するので、表示部４０を印刷で構成した場合に、袋表面にシワが生じて当該印刷が見難くなる問題も生じない。
【００１６】
袋１は、特にバナナ等の農産物を収容する場合には、外部から中身を確認できることが好ましいので、少なくとも部分的に透明であることが好ましく、フィルム類から構成することが好ましい（内容物によっては、必ずしも透明でなくてもよい場合もある）。フィルムの厚みを５０μｍ以上とした場合には、フィルム自体にも適正な強度を付与することができ、三角錐の形状特性と相俟って、安定した陳列が可能となる。特に、収容物であるバナナが袋内で倒れた場合であっても、袋１自体は安定した姿勢を維持することができる。
【００１７】
図示した実施形態では、袋１は、次のようにして作成される。すなわち、まず、長方形のシート材の両端を接着（接着部Ａ）して、円筒状とする。次に、両端開口部のうちの一方を閉じて第１封止辺１０とし、バナナを収容する。最後に、他端開口部を閉じて第２封止辺２０を構成する。これは一例に過ぎず、本発明において、内容物の種類、具体的な袋の構成材料、構成手順等は、適宜選択することが可能である。
【符号の説明】
【００１８】
１  袋
１０  第１封止辺
２０  第２封止辺
３０  周壁
３０ａ〜３０ｄ  壁部
４０  表示部
Ａ  接着部
【図１】
2018052510.tif 000003
(57)【要約】【課題】アコースティックベース、ギターの音量の増幅及び音色の改革をする。  【解決手段】胴体の構造をモノコック構造として表板の張力を保ちつつサウンドホールの位置を胴体上部に開けて音量の増幅が出来る胴体を作る。【選択図】図２
2018005026.tif 000002
【特許請求の範囲】
【請求項１】
弦楽器用モノコック構造の胴体。
【発明の詳細な説明】
【技術分野】
【０００１】
本発明は弦楽器の胴体に関する。
【背景技術】
【０００２】
弦楽器のギター、ベースは胴体と棹部で構成されていて、棹部先端には糸巻があって胴体下端に弦を留めるテルピースを固定、胴体中央部に弦振動を表板に伝えるためのブリッジが架設されている。
【０００３】
棹部はネックと指板とを含む構成であり、胴体は表板部、胴体部、底板部で構成、中は空洞になっている。
【０００４】
弦楽器の胴体は下記特許文献１，２に示されているように補強材として力木、他が胴体の内側に張り付けてあって強度が保たれている。またその長さとか太さを変えることである程度の音色を変えることが出来る。
【０００５】
胴体の構造は胴体部に表板と裏板を張り合わせて構成されている、胴板は曲げやすい様に薄い板を使用するため上下に糊代を増すための補強材が使用されている。
【先行技術文献】
【特許文献】
【０００６】
【特許文献１】特開２００１−２３６０５８
【特許文献２】特開２００８−０５２０５４
【発明の概要】
【発明が解決しようとする課題】
【０００７】
現在使用されているベース、ギターはその構造上従来から形の変化がなくしたがって音色の変化も少なく演奏者が新しい表現をすることが難しい。
【課題を解決するための手段】
【０００８】
そこで本発明は胴体２を上箱３，１２と下箱４、１３を貝殻合わせの様に合わせたモノコック構造にして力木を廃して曲面を取り入れることで弦の張力に対する剛性を保ちこれを解決する。
【０００９】
上箱３，１２の構造は表板部３と胴体部１２の一体構造で下箱４，１３も裏板部４と胴体部１３が一体構造である。
【発明の効果】
【００１０】
本発明の特徴は力木に替わる剛性を曲面で保つために音色が劇的に変化をする。またサウンドホール６を表板上部に空けるため音の増幅される面積が大きくなり、筒を伸ばす様な効果を生み音に圧力が掛かり音の響きが増して音量も豊かになる。
【００１１】
本発明のモノコック構造とは従来の弦楽器に見られる数多くの部材を使うことがないシンプルな構造であるため弦振動がそのまま表板部３に伝わるため自然なやさしい音でしかも音量がある。
【００１２】
したがって今まで体感できなかった音色、音圧が感じられて演奏者の表現が大幅に広がる。
【図面の簡単な説明】
【００１３】
【図１】本発明の胴体平面図
【図２】胴体Ａ―Ａ’断面図
【図３】胴体Ｂ―Ｂ’断面図
【図４】ギター完成平面図
【図５】下箱胴体開口部斜視図
【発明を実施するための形態】
【実施例】
【００１４】
以下、本発明を具体化した実施形態のギターを例にして図面に基づいて説明をする。
【００１５】
図１は本発明の実施した胴体２の平面図です。
【００１６】
図２，３に示されているように本発明の胴体２は貝殻状の上箱胴体部１２の開口部接着面１１と下箱胴体部１３の開口部接着面１０を接合して一体構造となっている。余計な補強材は何にもありません、曲面のみで剛性を保つことが出来ます。
【００１７】
従来のギター、ベースの胴体構造は参考文献で示す通り薄い板に力木等の補強材を用いて強度を保つ工法が取られています。この方法では接着個所は胴体内部のため剥離などのトラブルが発生すると修理がとても難しい。
【００１８】
本発明の胴体構造はとてもシンプルで上箱胴体部３、１２と下箱胴体部４、１３で構成されているので最も少ない場合一か所の接合で胴体２が完成する、材料の無駄をなくすために集成材を使用する場合も接着面はすべて外側に出ているので剥離事故が発生しても修理は簡単に出来る。
【００１９】
図２、図３の断面図でよく解るがこの構造は接着面以外すべて曲面で構成されているので楽器を抱えた時体に馴染んで演奏が楽である。
【００２０】
構造上従来のギター、ベースに比べて表板部３と胴体部１２，１３の板厚が共にやや厚くなる、結果として楽器の寿命も長くなる、すなわち木は必ず劣化しますから薄い板ほど早く弾力が失われる。特に表板部３の響鳴板部３’（図２の斜線部分）は楽器として一番大事な部分でしかも痛みやすい、従来のギター、ベースに使用されている響鳴板部３’の厚みは２，５ミリから３ミリ位ですが補強材がないモノコック構造の場合表板は４、５ミリ位ないと強度が足りない。また音を言葉で表現することは難しいのですが、設計上この響鳴板部３’がほんの２ミリ程度ですが厚くなる事はとても重要で音質が劇的に変化をする。
【００２１】
サウンドホール６が棹部５の左側に空けてあるのは響鳴板部の有効面積を広くとるためと弦９の振動を響鳴板部全体で受け止めて振動音を広い範囲で増幅できる設計になっている。
【００２２】
サウンドホール６の位置が上に上がったことは弦振動を音に替えるブリッジ７と増幅された音を外に出すサウンドホール６との距離が長くなって音圧を高める効果がある。
【符号の説明】
【００２３】
１  ギター本体（参考図）
２  胴体
３  上箱表板部（３’  響板部）
４  下箱裏板部
５  棹部
６  サウンドホール
７  ブリッジ
８  テルピース
９  弦
１０  下箱胴体部接着面
１１  上箱胴体部接着面
１２  上箱胴体部
１３  下箱胴体部
【図１】
2018005026.tif 000003
【図２】
2018005026.tif 000004
【図３】
2018005026.tif 000005
【図４】
2018005026.tif 000006
【図５】
2018005026.tif 000007
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
上箱表板部と上箱胴体部とからなる上箱と下箱裏板部と下箱胴体部とからなる下箱を貝殻合わせの様に重ねた構造の弦楽器胴体。
【手続補正２】
【補正対象書類名】明細書
【補正対象項目名】０００８
【補正方法】変更
【補正の内容】
【０００８】
本発明は、上箱表板部と上箱胴体部とからなる上箱と下箱裏板部と下箱胴体部とからなる下箱を貝殻合わせの様に重ねた構造の弦楽器胴体である。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
上箱表板部と上箱胴体とからなる上箱、と下箱裏板部と下箱胴体部からなる下箱とを備えた弦楽器胴体であって、前記上箱表板部及び前記上箱胴体部並びに、前記下箱裏板部及び前記下箱裏板部はそれぞれ一体構造をなし、前記上箱胴体部の端部及び前記下箱胴体部の端部にはそれぞれ接着面が設けられ、前記上箱胴体部の接着面及び前記下箱胴体部の接着面が接合されている弦楽器胴体。
【請求項２】
前記上箱胴体部の接着面は、他の前記上箱胴体部分の厚みより幅広に設けられ、前記下箱胴体部の接着面は他の前記下箱胴体部分の厚みより幅広に設けられている、請求項１に記載の弦楽器胴体。
(57)【要約】      （修正有）【課題】適切な値決めがわからない複数の同一商品に対し、同時に入札を行わせ購買を実現するシステムを提供する。【解決手段】複数の同一商品の販売においても入札制で購買を行い、入札額に対する落札額は、入札した勝者の中で最低の入札額を全ての入札勝者の落札額に適用することで、購買を実現させることとする。【選択図】図１
2018005870.tif 000002
【特許請求の範囲】
【請求項１】
複数ある同一商品の販売を複数の購買希望者に対して一斉に行う際、価格を事前に定めず購買希望者一人ひとりが支払っても良いと考える価格に応じて購買額が変化する取引形態
【発明の詳細な説明】
【技術分野】
【０００１】  この発明は、取引の技術に関する。
【背景技術】
【０００２】  これまで、商品に対し適切な値決めが出来なかったために、値段が安すぎる商品はあっという間に売り切れてしまうし、値段が高すぎると商品は売れなくなってしまった。適切な値決めを行うためには、複数の購買希望者に対し競争入札制で商品を販売する方法が一般的であった。
【発明の開示】
【発明が解決しようとする課題】
【０００３】  しかしながら、以上の従来技術によれば、取り扱う商品は１回の入札で１つであるため、入札制で同一の複数商品を同時に販売することは出来なかった。
そこでこの発明は、入札制で同時に同一の複数商品の販売を実現することを課題とする。
【課題を解決するための手段】
【０００４】  以上の課題を解決するために、本発明では、複数の同一商品の販売においても入札制で購買を行い、入札額に対する落札額は、入札した勝者の中で最低の入札額を全ての入札勝者の落札額に適用することで、購買を実現させることとする。
【発明の効果】
【０００５】  本発明によれば、複数の同一商品の販売において、入札制で購買が可能となる。
【発明を実施するための最良の形態】
【０００６】  この発明の一実施形態を、図１に示す。
複数ある（この場合２つとする）商品郡Ａ（１ａ）に対し、１，０００円で入札をした人Ａ（１ｂ）と、９００円で入札した人Ｂ（１ｃ）がいたとする。ここに新たな購買希望者Ｃ（１ｄ）が現れたら、Ｃは現在の最低入札価格であるＢの９００円よりも高い金額を入札することで、Ｂに代わって商品を購買する権利が得られる。ここではＣは９１０円を入札したとする。更に新たな購買希望者Ｄ（１ｅ）が現れ、Ｄが１，０５０円で入札をした時点で、入札は終了した。
商品が２つであることから、入札上位２位までにあたるＤ（１，０５０円）とＡ（１，０００円）が商品購買の権利を得たが、落札額は購買権利を得た中では最下位にあたるＡの１，０００円の入札額を全員の落札額（購買額）とする。【０００７】「実施形態の効果」
この実施形態によれば、決められた数の商品郡Ａに対し、購買希望者全員で入札を行うことで、適切な価格で購買が出来た。【０００８】「他の実施形態」
図１では、落札額は購買権利を得た中では最下位にあたるＡの１，０００円の入札額を全員の落札額としたが、落札出来なかった入札者の中では最高金額で入札したＣの９１０円を全員の落札額とすることも可能である。
【図面の簡単な説明】
【０００９】
【図１】この発明の一実施形態を示す図である。
【符号の説明】１ａ  複数ある商品郡
１ｂ  購買を希望し、１，０００円で入札した入札者Ａ
１ｃ  購買を希望し、９００円で入札した入札者Ｂ
１ｄ  購買を希望し、９１０円で入札した入札者Ｃ
１ｅ  購買を希望し、１，０５０円で入札した入札者Ｄ
【図１】
2018005870.tif 000003
(57)【要約】【課題】携帯電話などの移動体通信機器において、緊急通報を行う際、細かい操作をいくつかしない限り通報することが出来ず、本来通報したい際に通報が間に合わない場合や、時間がかかりすぎる場合がある。また、電池残量が足りずに通報が出来ない場合もある。【解決手段】移動体通信モジュールには通常時は通電せず、一切電力を消費しない。そして、通報する際に電源投入することで初めて通電し、あらかじめ登録してある手順に従って通報を行う。【選択図】図１
2018005871.tif 000002
【特許請求の範囲】
【請求項１】
通常時は通電しておらず、緊急通報を行う時と機能テストを行う時のみ通電し、使用する移動体通信機器。
【請求項２】
通電開始と同時に、あらかじめ決められた手順で緊急通報を自動的に行う移動体通信機器。
【発明の詳細な説明】
【技術分野】
【０００１】      この発明は、移動体通信モジュールを通じて、非常通報を行う回路構成と通信システムに関する。
【背景技術】
【０００２】      警察や消防、家族への安否連絡、地方公共団体をはじめとする各種団体、警備会社への通報は電話、移動体電話、インターネットを通した通信にて行われる。
【発明の概要】
【発明が解決しようとする課題】
【０００３】    移動体電話で警察や消防などへ非常通報する場合、あるいは身の危険を家族に知らせる場合、ダイヤルを押す、通信履歴を探す、電話帳プログラムを起動し探すなどの行為の後に、ようやく相手を呼び出すことができる。インターネットを通した通信においても同様の行為が必要で、緊急時において確実な操作ができない場合や、移動体電話においては電池切れで通報できないようなことがあった。
【課題を解決するための手段】
【０００４】    以上の課題を解決するために、第一発明は、スイッチ一つで通報のためのシーケンスが開始し、複雑な操作がいらないことである。
また、第二発明は平常時において移動体通信モジュールに通電されておらず、電池消耗しない回路構成である。
【発明の効果】
【０００５】    第一発明により、自分の身に危険が迫ったような状態でも単純な動作で非常通報ができ、第二発明により充電や電池交換なしに電池寿命の限り即時通報が可能となる。
【図面の簡単な説明】
【０００６】
【図１】    移動体通信機器と電池、スイッチの構成である。
【発明を実施するための形態】
【０００７】    電池、移動体通信モジュール、スイッチを一つのケースにまとめ、設置、または持ち運びがしやすい形態。
【産業上の利用可能性】
【０００８】    子供が持ち歩き、誘拐された場合や不審者に追われた際、心臓などに持病を持つ人に発作が発生した際に緊急通報を行う場合や、電源や電話回線のない山中の寺社で不法侵入や所蔵物に異常があった際の通報、自動車事故においてバッテリーが破損し主たる電源が失われた際にも稼働する緊急通報装置として使われる可能性がある。
【図１】
2018005871.tif 000003
(57)【要約】【課題】  従来の４サイクルガソリンエンジン等の吸気、排気バルブは、縦運動により開閉するため機構が複雑であり、シリンダーヘッドも大きくなり、振動、騒音も発生する要因であった。  また、吸気、排気バルブを開閉、特に開く際は、バネが効いたバルブを押し下げることからエンジン出力を大きく利用し、大きなロスが生じていた。【解決手段】  吸気、排気のための孔が開いた円柱形のシャフトを回転、停止運動させ、吸気、排気、閉鎖をコントロールすることができ、シャフトを回転運動させる機構であることからエンジンを小型軽量化し、出力のロスを少なくし、振動、騒音も最小にするものである。【選択図】図１
2018204597.tif 000002
【特許請求の範囲】
【請求項１】
吸気、排気のための孔が開いた円柱形のシャフトを回転、停止運動させ、気、排気、閉鎖をコントロールする４サイクルガソリンエンジン等のバルブ。
【発明の詳細な説明】
【技術分野】
【０００１】  この発明は、吸気、排気のための孔が開いた円柱形のシャフトを回転、停止させ、吸気、排気、閉鎖をコントロールするシャフト回転式エンジン吸気、排気バルブに関するものである。
【背景技術】
【０００２】  従来、４サイクルガソリンエンジン等の吸気、排気バルブは、縦運動により開閉していたが、本発明では、吸気、排気のための穴が開いたシャフトを回転、停止させることにより吸気、排気、閉鎖をするバルブである。
【発明の概要】
【発明が解決しようとする課題】
【０００３】  従来の４サイクルガソリンエンジン等の吸気、排気バルブは、縦運動により開閉するため機構が複雑であり、シリンダーヘッドも大きくなり、振動、騒音も発生する要因であった。
また、吸気、排気バルブを開閉、特に開く際は、バネが効いたバルブを押し下げることからエンジン出力を大きく利用し、大きなロスが生じていた。
本発明は、以上のような欠点をなくし、吸気、排気のための穴が開いたシャフトを回転、停止運動させ、吸気、排気、閉鎖をコントロールすることができ、シャフトを回転運動させる機構であることからエンジンを小型軽量化化し、出力のロスを  少なくし、振動、騒音も最小にするものである。
【発明を解決するための手段】
【０００４】  吸気、排気のための穴が開いたシャフトを回転、停止運動させ、吸気、排気、閉鎖をコントロールすることができる。
【発明の効果】
【０００５】  シャフトを回転運動させる機構であるこからエンジン出力のロスを少なくし、振動、騒音も最小にするものである。
【図面の簡単な説明】
【０００６】
【図１】本発明の断面図である。
【図２】本発明の回転式吸気、排気バルブの斜図である。
【本発明を実施するための形態】
【０００７】  以下、本発明を実施するための形態について説明する。
吸気、排気のための孔が開いた円柱形のシャフトを回転、停止させることにより吸気、排気、閉鎖をするバルブである。
【符号の説明】
【０００８】  １  吸気側バルブの状況（閉鎖時）
２  排気側バルブの状況（開時）
３  シリンダー
４  ピストン
５  回転式吸気、排気バルブシャフト
６  吸気、排気孔
【図１】
2018204597.tif 000003
【図２】
2018204597.tif 000004
(57)【要約】【課題】パイプの挿入状態を触覚的に確認できる機能はそのままに、開口部を介した異物の侵入を防止することができる管継手を提供すること。【解決手段】管継手は、パイプ２２に挿入される内筒部１４と、内筒部１４との間でパイプ２２の挿入空間を形成する外筒部１２と、内筒部１４とパイプ２２との間に介在されたＯリング１６とを有している。外筒部１２には、パイプ２２の挿入状態を触覚的に確認するための開口部１３が設けられている。開口部１３は、柔軟性を有するフィルム１５で閉塞されている。【選択図】図２
2018204612.tif 000002
【特許請求の範囲】
【請求項１】
パイプに挿入される内筒部と、前記内筒部との間で前記パイプの挿入空間を形成する外筒部と、前記内筒部と前記パイプとの間に介在されたシール部材とを有し、前記外筒部には前記パイプの挿入状態を触覚的に確認するための開口部が設けられた管継手において、前記開口部は柔軟性を有するフィルムで閉塞されている管継手。
【発明の詳細な説明】
【技術分野】
【０００１】
本発明は、例えば水道の配管に用いられる管継手に関する。
【背景技術】
【０００２】
特許文献１には、パイプの挿入完了位置に開口部を設けた管継手が開示されている。当該管継手は、開口部に手指を入れて、パイプの先端を確認することで、暗所等においてもパイプの挿入完了を確認することができる。
【先行技術文献】
【特許文献】
【０００３】
【特許文献１】特開２０１５−１２１４８４号公報
【発明の概要】
【発明が解決しようとする課題】
【０００４】
ところが、特許文献１の技術は、開口部から異物が侵入することがあり、例えば異物を噛み込んで、内部のシール機能が弱まる問題があった。
【０００５】
本発明の目的は、パイプの挿入状態を触覚的に確認できる機能はそのままに、開口部を介した異物の侵入を防止することができる管継手を提供すること。
【課題を解決するための手段】
【０００６】
上記目的を達成するために請求項１の発明の管継手は、パイプに挿入される内筒部と、前記内筒部との間で前記パイプの挿入空間を形成する外筒部と、前記内筒部と前記パイプとの間に介在されたシール部材とを有し、前記外筒部には前記パイプの挿入状態を触覚的に確認するための開口部が設けられた管継手において、前記開口部は柔軟性を有するフィルムで閉塞されている。
【発明の効果】
【０００７】
本発明によれば、柔軟性を有するフィルムによって開口部を閉塞することで、パイプの挿入状態を触覚的に確認できる機能はそのままに、開口部を介した異物の侵入を防止することができる。
【図面の簡単な説明】
【０００８】
【図１】管継手の側面図であって一部を破断して示す図。
【図２】パイプが挿入された状態にある管継手の側面図であって一部を破断して示す図。
【発明を実施するための形態】
【０００９】
以下、本発明を具体化した一実施形態について、図面を用いて詳細に説明する。
図１に示すように、本実施形態に係る管継手は、継手本体１１と、Ｏリング１６と、割リング２３と、ナット１７と、フィルム１５とを有している。継手本体１１、割リング２３及びナット１７は、それぞれ真鍮や青銅等の金属材料により形成されている。継手本体１１は、外筒部１２と内筒部１４を有している。外筒部１２と内筒部１４との間には、合成樹脂製のパイプ２２を挿入するための挿入空間１８が形成されている。
【００１０】
図２に示すように、挿入空間１８の最深部には、当接部１９が設けられている。当接部１９は、パイプ２２の先端が当接し、パイプ２２の挿入完了位置を定める部位である。Ｏリング１６は、内筒部１４の外周面に設けられた凹部１４ａに嵌め込まれている。パイプ２２を、その先端が当接部１９に当接するまで挿入空間１８に差し込むと、Ｏリング１６によってパイプ２２の内周面と内筒部１４の外周面との間がシールされる。
【００１１】
継手本体１１において外筒部１２とは反対側の端部の外周面には、第１雄ねじ部２０が螺刻されている。第１雄ねじ部２０は、水道配管等の管体（図示せず）と螺合可能となっている。外筒部１２の外周面には、第２雄ねじ部２１が螺刻され、ナット１７の内周面に設けられた雌ねじ部２５と螺合されている。
【００１２】
ナット１７及び割リング２３の開口を介して、パイプ２２を挿入空間１８へと挿入し、スパナ等の工具を用いてナット１７を雌ねじ部２５に対して螺進させると、ナット１７の係合面１７ａは継手本体１１の第１雄ねじ部２０側へと移動し、割リング２３が第１雄ねじ部２０側へと押し込まれ、外筒部１２の内面に形成されたテーパ面１２ａに当接して縮径する。縮径した割リング２３によってパイプ２２の外周面が締め付けられることで、パイプ２２が抜け止めされるとともに、パイプ２２の内周面がＯリング１６に対して圧接される。
【００１３】
さて、外筒部１２において当接部１９の近傍には、挿入空間１８を外周面に開放するようにして、手指の先が入る程度の大きさの開口部１３が設けられている。開口部１３は、柔軟性を持つ透明（無色透明又は有色透明）又は不透明のフィルム１５で覆われている。フィルム１５は、例えばポリエチレンやシリコーンゴム等の樹脂製やゴム製であって、接着剤等の固定手段によって、外筒部１２の外周面における開口部１３の周囲に固定されている。開口部１３がフィルム１５によって覆われることで、開口部１３から挿入空間１８への異物の侵入を防ぎ、例えば異物の噛み込みによってＯリング１６のシール機能が弱まることを防ぐ。
【００１４】
フィルム１５が透明であれば、パイプ２２の挿入状態を視覚的に確認できる。また、図１及び図２において、フィルム１５を二点鎖線で示すように、例えば不透明のフィルム１５を用いた場合や、或いは透明のフィルム１５を用いた場合であっても手元が目視できない作業環境では、開口部１３を覆うフィルム１５を手指の先で押すことによって、パイプ２２の挿入状態を確認できる。例えば、フィルム１５を手指の先で押してもパイプ２２に触れる感覚を得られないか、或いはパイプ２２に触れる感覚はあったとしても、フィルム１５が押し込まれ過ぎる等の違和感があれば、パイプ２２は挿入不十分であると判断できる。
【符号の説明】
【００１５】
１２…外筒部、１３…開口部、１４…内筒部、１５…フィルム、１６…シール部材としてのＯリング、１８…挿入空間。
【図１】
2018204612.tif 000003
【図２】
2018204612.tif 000004
(57)【要約】【課題】本発明は、横襟元から（肩を通り）袖口まで（又は肩山から袖口まで）ファスナーを付けることにより、狭い袖周りに腕を通すことなく、障害者の人の服の着脱の介助、又は重ね着の介助を簡単にできるようにする肩割の服を提供する。【解決手段】上着本体の横襟元から（肩を通り）袖口にかけてファスナーを設ける。ファスナーを開く（または閉じる）ことで、襟元から肩・袖口全体にかけて開く（または閉じる）ことができるので、障害者の人の服の着脱（介助）が簡単になる。【選択図】図１
2018204163.tif 000002
【特許請求の範囲】
【請求項１】
上着本体の横襟元から肩を通り袖口まで（又は肩山から袖口まで）切り込みを入れ、その部分全体にファスナー、又は面ファスナーを付けた肩割の服。
【請求項２】
コート本体の横襟元から肩を通り袖口まで（又は肩山から袖口まで）切り込みを入れ、その部分全体にファスナー、又は面ファスナーを付けた肩割のコート。
【発明の詳細な説明】
【技術分野】
【０００１】本発明は、横襟元から肩を通り袖口までファスナーを付けた障害者に優しい上着、又はコートに関するものである。
【背景技術】
【０００２】従来、上着の両袖下部にファスナーを付けた衣類があった（特許文献１）。
また、袖の縫い合わせ部分の袖口側から脇下にかけてファスナーを付けた上着があった（特許文献２）。
【先行技術文献】
【特許文献】
【０００３】
【特許文献１】実登３０７２４７２
【特許文献２】特開２００２−１８０３１４
【発明の概要】
【発明が解決しようとする課題】
【０００４】特許文献１や、従来の上着では、手の不自由な人に服の着脱を介助する際に、袖に手を通してあげる時、袖上部の袖周りの幅が狭く、腕を通すことに大変苦労が多かった。袖下部のファスナーを開いても、同じ理由で、着脱の苦労は変わらなかった。
特許文献２では、着脱を介助する者にとって、脇下のファスナーは見えづらく、かつ、服を着る者にとって、脇の下にゴロゴロした異物感を感じ着心地が悪かった。
本発明は、服の着脱を介助する人、介助される人双方の問題点を解決するためになされたものである。
【課題を解決するための手段】
【０００５】上着本体の横襟元（又は肩山）から袖口まで切り込みを入れることで、肩の部分から袖口までを割った状態にする。
横襟元（又は肩山）から袖口までファスナーを付けることで、ファスナーを開く（または閉じる）と、襟元から肩・袖口全体にかけて簡単に開く（または閉じる）ことができる。
【発明の効果】
【０００６】従来の普通の上着の袖には、肩山から袖口までの縫い合わせは無いが、本発明は上着又はコートの横襟元（又は肩山）から袖口までファスナーを付けることにより、肩・腕全体の開閉が簡単にできるようになる。横襟元（又は肩山）からファスナーを開くと、袖部全体が開かれて、狭い袖周りに腕を通すことなく、障害者の人の腕をその部分に置くだけで、肩・腕を包み込むことができるようになる。また、ファスナーを閉じると、時間をかけずに簡単に、肩から手首まで腕を包み込むことができ、楽に着せることができる。同様に、ファスナーを開けて、簡単に脱がせることができる。ファスナーの位置を、横襟元から（肩を通り）袖口までにすることで、服の着脱を介助する人にとっても、視覚的に見やすいので、簡単に手助けすることができる。服を着る人にとっても、脇の下にゴロゴロした異物感を感じることなく、心地よく着ることができる。
服の上からでも楽に着脱させることができるので、とくに手の不自由な人にとって、着脱の難しい重ね着用の上着、又はコートとしても役立つ。
【図面の簡単な説明】
【０００７】
【図１】本発明の斜視図。
【図２】本発明の袖の要部拡大図。
【図３】本発明の上着本体の斜視図。
【図４】本発明の袖を開いた状態図。
【発明を実施するための形態】
【０００８】以下本発明の実施の形態について説明する。
上着本体（１）の横襟元（４）（又は肩山（５））から、袖口（６）まで切り込みを入れることで、肩の部分から袖口までを割った状態にし、横襟元（４）（又は肩山（５））から袖口（６）までファスナー（２）を付けることで、ファスナー（２）を開くと、袖（３）全体が開かれるようになる（図２、図４）。
手の不自由な人の腕をその部分に置き、ファスナーを開け閉めすることで、時間をかけずに簡単に、服の着脱の介助が可能になる。
本発明を使用するときは、上着本体の袖（３）になる部分のファスナーを全開にして、横襟元（４）を着る人の肩にのせ、ファスナー（２）をおろす。そうすることで、肩〜腕全体を包み込み上着又はコートになる。
【符号の説明】
【０００９】１  上着本体
２  ファスナー
３  袖
４  横襟元
５  肩山
６  袖口
【図１】
2018204163.tif 000003
【図２】
2018204163.tif 000004
【図３】
2018204163.tif 000005
【図４】
2018204163.tif 000006
(57)【要約】      （修正有）【課題】財布、電磁的記録物、鍵は洋服、シャツ、ズボンに収納しており、紛失、盗難の恐れがあり、これらの問題が無く、さらに美観の問題も無い、貴重品の収納方法を提供する。【解決手段】ズボンの固定に利用されているベルトの一部分に、身体側、表側の中間に空洞を設け、貴重品入れ３を設置したベルトであり、服装に装着していた、財布、電磁的記録カード入れ、鍵入れをベルトに集約装着することにより、省資源、紛失、盗難を防止することができる。【選択図】図２
2018204162.tif 000002
【特許請求の範囲】
通常ズボンの固定に利用されているベルトの一部分に、身体側、表側の中間に空洞を設け、貴重品入れを設置したベルト。
【発明の詳細な説明】
【技術分野】
【０００１】本発明は、本来ズボンを固定するために使用するベルトの一部に貴重品入れを内包させた服装関係の技術である。
【背景技術】
【０００２】従来社会生活において財布、電磁的記録物、鍵は洋服、シャツ、ズボンに収納していた、
しかし紛失、盗難の恐れがあった。
【発明の概要】
【０００３】この発明は上記の欠点を除去し、社会生活を円滑に行おうとするものである。
第一図は従来のベルトである、
第二図はこの発明による貴重品入れを内包したベルトで、ベルトの一部（符号―３）の部分が貴重品入れである、
貴重品入れの下部には符号―４の通り追加袋が付加されており、貴重品入れの深さを増大させている、
第三図は貴重品入れの追加袋は、素材が柔らかな材質でできており、ズボンのベルトループを通過させるときは図示のように貴重品入れに収納できるものである、
符号５はファスナーである、
第４図は第２図ａ〜ａ’断面図である。
第５図は第３図ｂ〜ｂ’断面図である。
【課題を解決するための手段】
【０００４】この発明は貴重品入れの下部に追加袋を取り付けるため、美観上問題がある。
【発明の効果】
【０００５】この発明により、財布、電磁的記録ケース、鍵入れが省略出来、省資源に貢献できるとともに、紛失、盗難を防止することができる。
【発明を実施するための最良の方法】
【０００６】広く社会に公告し周知する。
【図面の簡単な説明】
【０００７】
【図１】第一図は従来のベルトの正面図である。
【図２】第二図はこの発明による貴重品入れを内包したベルトの正面図である、図中符号―３部分が貴重品入れの部分である。符号―４部分は貴重品入れの深さを増すために取り付けた追加袋である。
【図３】第三図は追加袋（符号―４）を貴重品袋（符号ー３）に内蔵させた正面図である、これによって、ズボンのベルトループを支障なく通過させることができる。
【図４】第四図は第二図の  ａ〜ａ’の断面図である。
【図５】第五図は第三図の  ｂ〜ｂ’の断面図である。
【符号の説明】
【０００８】１、  ベルト
２、  金具
３、  貴重品入れ
４、  追加袋
５、  ファスナー
【図１】
2018204162.tif 000003
【図２】
2018204162.tif 000004
【図３】
2018204162.tif 000005
【図４】
2018204162.tif 000006
【図５】
2018204162.tif 000007
(57)【要約】      （修正有）【課題】着衣の機能等が不十分である。【解決手段】新たに、着衣に反磁性を追加して、用いる。【選択図】なし【特許請求の範囲】
【請求項１】
着衣に反磁性を用いる
【発明の詳細な説明】
【技術分野】
【０００１】
着衣に反磁性を追加する
(57)【要約】      （修正有）【課題】ブレーキランプの球切れを音響で報知する装置を提供する。【解決手段】ブレーキランプ６のどちらかが球切れになると電流が減少し、よって抵抗２に電位差が生じこの電位差によって半導体が起動し音響装置に電源を供給し音響を発し球切れを報知する。【選択図】図１
2018200456.tif 000002
【特許請求の範囲】
【請求項１】
球切れ検出時の報知を音響で報知する。
【発明の詳細な説明】
【発明の詳細な説明】
【技術分野】保安装置であるブレーキランプが球切れ状態で街中を走行している車を見掛けるのは日常茶飯事である。この現状を推察すると一つには球切れを一人では点検できないので。法規点検をせずに走行する。二つ目には検知器が装備されているにも拘らず検知器の欠陥から球切れ表示を見逃している事にある。
【背景技術】従来の球切れ検知器には球切れ検知をして球切れ表示をしてもこの表示を見逃される欠陥がある。視覚は視点を中心に認識するが自動車運転中は常時検知器に視点があるとは限らない
【発明が解決しょうとする課題】
球切れ検知器が球切れ表示をしているのにも拘らず自動車運転手の目の視点が表示にあるとは限らず結果として球切れ状態を認識できずに走行する問題。
【図面の簡単な説明】
【図１】本発明の一実施例を示す電気配線図で（１）は（６）の正常時と球切れ時の電流差を検出する抵抗、（３）と（４）は（１）の検出値で（２）を制御する抵抗、（２）は球切れ時にブザー（５）に出力する半導体、（５）は音響装置（６）はブレーキランプ（７）は共通アース点を示す。今ブレーキランプ（６）のどちらかが球切れになると電流が減少し、よって抵抗（２）に電位差が生じこの電位差によって半導体が起動し音響装置に電源を供給し音響を発し球切れを報知する。
【発明を実施するための形態】
球切れを運転手に確実に認識させるために球切れ時の報知手段に音響を採用すると確実に運転手に球切れを認識させる事ができる。
【図１】
2018200456.tif 000003